(57)【要約】【課題】本発明は、元竿管の滑り止め効果を高めることができ、操作性に優れた釣竿の提供を目的とする。【解決手段】釣竿は、元竿管(2)の外周面に巻き付けられた線条(15)を備えている。線条(15)は、元竿管(2)の外周面の上に元竿管(2)の軸方向に間隔を存して複数の溝状の凹部(20)を形成している。線条(15)は、第１の巻き付け部材(16)と、この第１の巻き付け部材(16)よりも元竿管(2)の径方向の寸法が小さい第２の巻き付け部材(17)とを含む。第１の巻き付け部材(16)および第２の巻き付け部材(17)は、元竿管(2)の軸方向に並ぶように元竿管(2)の外周面に巻き付けられているとともに、第２の巻き付け部材(17)を間に挟んで隣り合う第１の巻き付け部材(16)の間に上記凹部(20)が形成されている。【選択図】      図３
2010104334.tif 000002
【特許請求の範囲】
【請求項１】
元竿管の外周面に線条を巻き付けることで、上記元竿管の外周面に上記元竿管の軸方向に間隔を存して複数の溝状の凹部を形成した釣竿であって、
上記線条は、第１の巻き付け部材と、この第１の巻き付け部材よりも上記元竿管の径方向の寸法が小さい第２の巻き付け部材とを備え、これら第１の巻き付け部材および第２の巻き付け部材は、上記元竿管の軸方向に並ぶように上記元竿管の外周面に巻き付けられているとともに、上記第２の巻き付け部材を間に挟んで隣り合う上記第１の巻き付け部材の間に上記凹部が形成されていることを特徴とする釣竿。
【請求項２】
請求項１の記載において、上記第１の巻き付け部材と上記第２の巻き付け部材とは互いに密着されていることを特徴とする釣竿。
【請求項３】
請求項１の記載において、上記第１の巻き付け部材は、上記元竿管の外周面の上に上記元竿管の周方向に沿う複数の第１のループ部を形成し、上記第２の巻き付け部材は、上記元竿管の外周面の上に上記元竿管の周方向に沿う複数の第２のループ部を形成し、上記第１のループ部および上記第２のループ部は、上記元竿管の軸方向に並んで互いに密着されているとともに、隣り合う第１のループ部と第２のループ部との間に上記元竿管の径方向に沿う段差が形成されていることを特徴とする釣竿。
【請求項４】
請求項３の記載において、上記第１および第２のループ部を被覆することで上記線条を上記元竿管の外周面に固定する被膜をさらに備えていることを特徴とする釣竿。
【請求項５】
請求項１ないし請求項４のいずれか一項の記載において、上記第１の巻き付け部材は、柔軟性を有するゴム状弾性体で構成されていることを特徴とする釣竿。
【発明の詳細な説明】
【技術分野】
【０００１】
本発明は、例えば元竿管の外周面に糸あるいは紐のような線条を巻き付けることにより、この元竿管の外周面の上に周方向に沿う複数の溝状の凹部を形成した釣竿に関する。
【背景技術】
【０００２】
釣竿は、例えば仕掛けを投擲したり、あたりを待つ時に釣人が手で握るグリップを備えている。グリップは、釣人が手で握った時にしっくりと馴染むように、例えば天然コルクあるいは発泡ウレタンのような合成樹脂材料で形成されている。
【０００３】
特許文献１に開示された釣竿では、グリップの外周面に合成樹脂製の硬質被膜層を積層し、この硬質被膜層の上に糸条を巻き付けている。糸条は、円形の断面形状を有するとともに、硬質被膜層の上にグリップの周方向に沿う複数のループ部を形成している。ループ部は、互いに密着された状態でグリップの軸方向に並んでおり、隣り合うループ部の間にグリップの周方向に沿う複数の溝状の凹部が形成されている。凹部は、グリップの軸方向に略一定の間隔を存して並んでいるとともに、グリップの径方向に沿う外側に向けて次第に拡開するような断面形状を有している。
【０００４】
この糸条の存在により、グリップの損傷を防止できるとともに、釣人がグリップを手で握った時に凹部に手の指が掛かり易くなり、実際に釣りをしている時の手の滑りを防止できる。
【特許文献１】特開平９−１０７８５１号公報
【発明の開示】
【発明が解決しようとする課題】
【０００５】
特許文献１に開示された従来の釣竿では、直径が一定の糸条を硬質被膜層の上に連続的に巻き付けており、この巻き付けにより得られる複数のループ部が硬質被膜層の上で互いに密着している。
【０００６】
しかしながら、このような構成によると、隣り合うループ部の間に形成される凹部の幅が狭くなるとともに、凹部の深さにしても充分に確保することができなくなる。特に、硬質被膜層の上に巻かれた糸条は、その上から糸止め用の塗料を塗布することで硬質被膜層の上に固定されている。
【０００７】
したがって、糸止め用の塗料が隣り合うループ部の間の凹部に入り込むのを避けられず、これにより凹部が益々浅くなってしまう。
【０００８】
この結果、グリップを手で握った時に、手の指が凹部に引っ掛かり難くなり、糸条による滑り止め効果を充分に発揮させることができなくなる。
【０００９】
本発明の目的は、元竿管を手で握った時の滑り止め効果を高めることができ、操作性に優れた釣竿を得ることにある。
【課題を解決するための手段】
【００１０】
上記目的を達成するため、本発明の一つの形態に係る釣竿は、  
元竿管の外周面に線条を巻き付けることで、上記元竿管の外周面に上記元竿管の軸方向に間隔を存して複数の溝状の凹部を形成した釣竿であって、  
上記線条は、第１の巻き付け部材と、この第１の巻き付け部材よりも上記元竿管の径方向の寸法が小さい第２の巻き付け部材とを備え、これら第１の巻き付け部材および第２の巻き付け部材は、上記元竿管の軸方向に並ぶように上記元竿管の外周面に巻き付けられているとともに、上記第２の巻き付け部材を間に挟んで隣り合う上記第１の巻き付け部材の間に上記凹部が形成されていることを特徴としている。
【発明の効果】
【００１１】
本発明によれば、元竿管の外周面の上に充分な深さおよび幅を有する複数の凹部を形成することができ、これら凹部によって規定される段差が明確となる。このため、例えば釣人が元竿管を手で握った時に、手の指が凹部に掛かり易くなり、元竿管の滑り止め効果を高めることができる。
【発明を実施するための最良の形態】
【００１２】
以下本発明の実施の形態を、図１ないし図３に基づいて説明する。
【００１３】
図１は、例えば磯竿のような中通し釣竿１を開示している。本実施の形態の中通し釣竿１は、元竿管２、元上竿管３および穂先竿管４を備えている。元竿管２、元上竿管３および穂先竿管４は、例えば強化繊維に合成樹脂材料を含浸させた繊維強化プリプレグを用いて円筒状に形成されており、夫々可撓性を有している。
【００１４】
元竿管２は、尻栓５、スピニングリール６を固定するリールシート７および釣糸導入ガイド８を備えている。尻栓５は、元竿管２の竿尻に位置している。リールシート７は、元竿管２の長さ方向に沿う中間部に位置している。釣糸導入ガイド８は、スピニングリール６から繰り出された釣糸を元竿管２の内側に導くためのものであり、元竿管２の竿先側の端部の外周面に取り付けられている。
【００１５】
さらに、元上竿管３および穂先竿管４は、元竿管２に対し振り出し式に継ぎ合わされている。
【００１６】
このような中通し釣竿１によると、例えば仕掛けを投擲する時、釣人は一方の手でリールシート７を握るとともに、他方の手で元竿管２のうちリールシート７よりも後方の竿尻側端部２ａを握って中通し釣竿１を操作する。また、釣りの最中に中通し釣竿１を起こす時、釣人は一方の手でリールシート７を握るとともに、他方の手で元竿管２のうちリールシート７よりも前方の竿先側端部２ｂを握って中通し釣竿１を操作する。
【００１７】
図２および図３に示すように、元竿管２の竿尻側端部２ａの外周面に、合成樹脂製のグリップ部材１２が固定されている。グリップ部材１２は、元竿管２と同軸の円筒状をなしている。グリップ部材１２の外周面は、被覆層１３によって覆われている。被覆層１３は、グリップ部材１２の外周面に例えば熱硬化性のゴム系塗料を塗布することにより形成されている。
【００１８】
被覆層１３の上に糸条１５が巻き付けられている。糸条１５は、細い筋のように見える線条の一例であって、釣人が元竿管２の竿尻側端部２ａを手で握った時に、手の滑りを防止するためのものである。糸条１５は、第１の巻き付け部材１６と第２の巻き付け部材１７とを備えている。
【００１９】
第１の巻き付け部材１６および第２の巻き付け部材１７は、例えばナイロンのような合成樹脂製の巻糸で構成されており、この巻糸は円形の断面形状を有している。本実施の形態によると、第１の巻き付け部材１６の直径（太さ）は、例えば０．３６mmであり、第２の巻き付け部材１７の直径（太さ）は、例えば０．１５mmとなっている。そのため、第２の巻き付け部材１７は、第１の巻き付け部材１６よりも細い。
【００２０】
言い換えると、第２の巻き付け部材１７は、第１の巻き付け部材１６よりも元竿管２の径方向に沿う高さ寸法（厚み寸法）が小さく形成されている。
【００２１】
図３に最もよく示されるように、第１の巻き付け部材１６および第２の巻き付け部材１７は、元竿管２の軸方向に交互に並ぶように被覆層１３の上に巻き付けられている。第１の巻き付け部材１６は、グリップ部材１２の外周面の上に、グリップ部材１２の周方向に沿う複数の第１のループ部１８を形成している。同様に、第２の巻き付け部材１７は、グリップ部材１２の外周面の上に、グリップ部材１２の周方向に沿う複数の第２のループ部１９を形成している。
【００２２】
本実施の形態によると、第１のループ部１８と第２のループ部１９とは、元竿管２の軸方向に交互に並んでいるとともに、その外周面が隙間無く密に接している。そのため、第１のループ部１８は、第２のループ部１９を間に挟んで隣り合っている。
【００２３】
隣り合う第１のループ部１８の外周面の間に複数の溝状をなす凹部２０が形成されている。凹部２０は、元竿管２の軸方向に間隔を存して並んでいるとともに、元竿管２の径方向に沿う外側に向けて開口している。
【００２４】
さらに、隣り合う第１のループ部１８と第２のループ部１９との間に元竿管２の径方向に沿う段差２２が形成されている。段差２２は、第１の巻き付け部材１６の直径と第２の巻き付け部材１７の直径との相違により生じたものであり、凹部２０の深さ寸法を規定する。
【００２５】
図３に示すように、グリップ部材１２に巻き付けられた第１および第２のループ部１８,１９は、糸止め剤としてのクリアーな被膜２３によって被覆されている。被膜２３は、第１および第２の巻き付け部材１６,１７の巻き付け範囲を全て覆うように第１および第２のループ部１８,１９の上から塗布されている。被膜２３としては、液状の熱硬化性合成樹脂塗料を用いることが望ましく、この被膜２３の膜厚は、例えば０．０１〜０．０５mmとなっている。
【００２６】
被膜２３は、隣り合う第１のループ部１８と第２のループ部１９との間を浸透して被覆層１３の外周面に達している。被膜２３は、被覆層１３と合体して第１および第２のループ部１８,１９を包み込むとともに、第１および第２のループ部１８,１９をグリップ部材１２の外周面の上に固定している。
【００２７】
図３に示すように、第２の巻き付け部材１７の直径は、第１の巻き付け部材１６の直径の半分以下となっている。そのため、第１のループ部１８の直径の中心を通ってグリップ部材１２の外周面と平行な直線Ｘ１を引いた場合に、第２のループ部１９の外周面は、上記直線Ｘ１よりもグリップ部材１２の外周面の方向に偏った位置で第１のループ部１８の外周面に接している。
【００２８】
言い換えると、第２のループ部１９の外周面は、上記直線Ｘ１と第１のループ部１８の外周面との交点O1よりも第１のループ部１８の径方向内側に距離Lだけずれた位置で第１のループ部１８の外周面に接している。
【００２９】
このため、糸条１５が巻かれた元竿管２の竿尻側端部２ａを外側から見た場合に、第１のループ部１８と第２のループ部１９との接触箇所が第１のループ部１８の外周面によって覆い隠されている。
【００３０】
すなわち、第１のループ部１８と第２のループ部１９とは、グリップ部材１２の外周面上において上記距離Lに相当する分だけ互いにオーバラップしている。これにより、元竿管２の竿尻側端部２ａを外側から見た場合に、第１のループ部１８と第２のループ部１９との境界を通してグリップ部材１２が見え難くなり、元竿管２の竿尻側端部２ａの外観を良好に維持する上で好都合となる。
【００３１】
次に、グリップ部材１２の外周面の上に糸条１５を巻き付けて固定する手順の一例について説明する。
【００３２】
まず、グリップ部材１２の外周面にゴム系塗料を塗布することで被覆層１３を形成する。この塗布されたゴム系塗料が乾燥した後、被覆層１３の上に第１および第２の巻き付け部材１６,１７を巻き付ける。この際、第１の巻き付け部材１６および第２の巻き付け部材１７は、互いに平行となるように一つに束ねた状態で被覆層１３の上に緊密に連続して巻き付けていく。
【００３３】
これにより、被覆層１３の上に第１のループ部１８と第２のループ部１９とが同時に形成されるとともに、第２のループ部１９を間に挟んで隣り合う第１のループ部１８の間に凹部２０が形成される。
【００３４】
この後、第１および第２のループ部１８,１９の上から液状の合成樹脂塗料を塗布する。この際、合成樹脂塗料の溶剤分が第１の巻き付け部材１６と第２の巻き付け部材１７との間を通って被膜層１３の上に浸透し、被膜層１３を軟化させる。被膜層１３が軟化した頃を見計らって元竿管２の竿尻側端部２ａを加熱し、合成樹脂塗料を硬化させる。これにより、第１および第２のループ部１８,１９を覆う被膜２３が形成されるとともに、この被膜２３と被覆層１３とが一体化される。この結果、元竿管２の竿尻側端部２ａの外周面の上に糸条１５が巻き付けられた中通し釣竿１が完成する。
【００３５】
このような本発明の実施の形態によれば、元竿管２の竿尻側端部２ａの外周面に複数の凹部２０を形成する糸条１５は、第１の巻き付け部材１６と、この第１の巻き付け部材１６よりも細い第２の巻き付け部材１７とで構成されている。第１の巻き付け部材１６の巻き付けによって得られる第１のループ部１８と、第２の巻き付け部材１７の巻き付けによって得られる第２のループ部１９とは、互いに接した状態で元竿管２の軸方向に交互に並んでいる。そのため、第１のループ部１８は、第２のループ部１９を間に挟んで互いに隣り合っており、これら隣り合う第１のループ部１８の間に凹部２０が形成されている。
【００３６】
凹部２０の深さを規定する段差２２は、第１の巻き付け部材１６の直径と第２の巻き付け部材１７の直径との差によって定まるので、第１および第２の巻き付け部材１６,１７の直径を適宜設定することで、元竿管２の竿尻側端部２ａの外周面上に充分な深さおよび幅を有する複数の凹部２０を形成することができる。
【００３７】
したがって、釣人が中通し釣竿１の竿尻側端部２ａを手の指で握った時に、凹部２０に手の指が掛かり易くなる。この結果、竿尻側端部２ａの外周面に同一径の線条を密着巻きした場合との比較において、糸条１５による滑り止め効果を高めることができ、実際に釣りをしている時の中通し釣竿１の操作性が良好となる。
【００３８】
さらに、第１のループ部１８と第２のループ部１９とは、竿尻側端部２ａの外周面上で互いに接している。このため、第１および第２のループ部１８,１９が元竿管２の軸方向にずれ動き難くなり、凹部２０の大きさの変動を防止することができる。
【００３９】
なお、本発明は、上記実施の形態に特定されるものではなく、発明の趣旨を逸脱しない範囲内で種々変更して実施可能である。
【００４０】
例えば、上記実施の形態では、第１の巻き付け部材および第２の巻き付け部材を、元竿管の軸方向に交互に並ぶように元竿管の竿尻側端部の外周面に巻き付けている。しかしながら、本発明はこれに限らず、例えば第１の巻き付け部材の隣り合う第１のループ部の間に、第２の巻き付け部材の第２のループ部が二つもしくはそれ以上並ぶように、第１および第２の巻き付け部材を元竿管の竿尻側端部に巻き付けてもよい。
【００４１】
さらに、第１および第２の巻き付け部材は、合成樹脂製の巻糸に限らず、巻糸に比べて軟質な紐状の部材を用いてもよい。
【００４２】
加えて、第２の巻き付け部材としては、断面が円形の巻糸に限らず、例えば偏平な断面形状を有する紐あるいはテープを用いることができる。この場合、偏平な紐あるいはテープの厚みは、第１の巻き付け部材の直径よりも小さいことが必須であり、この紐あるいはテープの厚みと第１の巻き付け部材の直径との差によって段差が規定される。
【００４３】
それとともに、本発明を実施するに当たっては、第１の巻き付け部材の材質と第２の巻き付け部材の材質を互いに異ならせるようにしてもよい。具体的には、第２の巻き付け部材１７よりも太い第１の巻き付け部材１６を、柔軟性を有するゴム状弾性体により構成すれば、釣人が元竿管２の竿尻側端部２ａを手で握った時に、柔軟な第１の巻き付け部材１６が手の指に接触するとともに、この指の腹の形状や握り圧に応じて弾性的に変形する。
【００４４】
この結果、元竿管２の竿尻側端部２ａを手で握った時の感触や握り心地が向上するとともに、滑り止め効果をより高めることができる。
【００４５】
さらに、第１の巻き付け部材１６の色と第２の巻き付け部材１７の色を互いに異ならせるようにしてもよい。この構成によれば、質感の高い外観を得ることができ、釣竿１の意匠的な効果も高めることができる。
【００４６】
加えて、上記実施の形態では、元竿管２の竿尻側端部２ａの外周面に糸条１５を巻き付けているが、元竿管２の竿先側端部２ｂに糸条１５を巻き付けるようにしてもよい。
【００４７】
糸条１５は、元竿管２の手で握る領域に巻き付けることに限らない。例えば、釣人があたりを待つ時にリールシート７を手で把持した場合は、元竿管２の竿尻側端部２ａは手の肘を受ける肘当てとして機能する。そのため、糸条は、元竿管のうち手で握る領域ばかりでなく、肘当てとなる領域にも巻き付けることができる。
【００４８】
また、本発明に係る釣竿は、中通し釣竿に限らず、釣糸を竿管の外を通す形式の釣竿であっても同様に実施可能である。
【図面の簡単な説明】
【００４９】
【図１】本発明の実施の形態に係る中通し釣竿の側面図。
【図２】本発明の実施の形態において、元竿管の竿尻側端部を断面で示す中通し釣竿の側面図。
【図３】図２のF3部を拡大して示す断面図。
【符号の説明】
【００５０】
２…元竿管、１５…線条（糸条）、１６…第１の巻き付け部材、１７…第２の巻き付け部材、２０…凹部。
【図１】
2010104334.tif 000003
【図２】
2010104334.tif 000004
【図３】
2010104334.tif 000005